Podtech/llm-jp-corpus-v4-ja_patent huggingface dataset:
(57)【要約】【課題】直管でなく  ましてや  曲げ加工・種々接続加工した  配管設置後の小口径金属管の内面を新旧に拘らず塗装するに関する３つの障害に対策する課題▲１▼  配管中に分岐も有り得るが、任意の経路を施工する選択性。▲２▼  成可薄く、且つ連続した塗膜が得られ、曲がり・分岐でも進行可能な塗布具。▲３▼  塗布具を、塗装条件に従い進行させる、駆動・制御方法。【解決手段】（１）配管の選択された経路のみに、微弱な気流を与え、その気流に載せて、導糸を付けた遊子を流し、その貫通後、糸・紐・綱と付け換え補強。（２）充分柔軟な導綱が付いた、管口径と曲・分岐に対応可能な塗布具を採用。導糸補強の最終紐・綱へ塗料補給用チューブも併設する。（３）塗布具の誘導は導綱で行い、塗布具の駆動は微弱な空気圧送で行う。【選択図】  図２
2004243298.tif 000002
【特許請求の範囲】
【請求項１】
既に配管接続設置された小口径銅管が曲がりくねっていても、分岐継手が有っても、任意な経路を選択可能な設定・誘導方法。（図１）
【請求項２】
既に配管接続設置された小口径銅管が曲がりくねっていても、分岐継手が有っても、その内面へ塗布できる塗装用具。（図２）
【請求項３】
独特な塗装用具などを、小口径銅管が曲がりくねっていても、分岐継手が有っても、正しく誘導し駆動する駆動方法。（図３）
【発明の詳細な説明】
【０００１】
【発明の属する技術分野】
本発明は、給水・給湯などの小口径金属配管での内面防蝕塗装に関する。
【０００２】
【従来の技術】
従来小口径金属管の内面は  無塗装か、金属管の製造時に流し塗り、棒ブラシ塗布、ノズルスプレー塗装で有ったが、内面塗装は直管に限られ、曲がり管は不能で、ましてや配管設置後に塗装する事は不可能であった。しかし無塗装故に内面が孔蝕した場合や、事前に塗装されていても、配管時に塗膜が損なわれた場合など、配管設置後に塗装せねば成らない場合も多々あるが、それは不可能だった。
【０００３】
【発明が解決しようとする課題】
直管でなく  ましてや  曲げ加工・種々接続加工した配管設置後の小口径金属管の内面を新旧に拘らず塗装するには、３つの障害に対策する課題が有る。
▲１▼  配管中に分岐も有り得るが、任意の経路を施工する選択性。
▲２▼  成可薄く、且つ連続した塗膜が得られ、曲がり・分岐でも進行可能な塗布具。
▲３▼  塗布具を、塗装条件に従い進行させる、駆動・制御方法。
【０００４】
【課題を解決するための手段】
（１）配管の選択された経路のみに、微弱な気流を与え、その気流に載せて、
導糸を付けた遊子を流し、その貫通後、糸・紐・綱と付け換え補強。
（２）充分柔軟な導綱が付いた、管口径と曲・分岐に対応可能な塗布具を採用。導糸補強の最終紐・綱へ塗料補給用チューブも併設する。
（３）塗布具の誘導は導綱で行い、塗布具の駆動は微弱な空気圧送で行う。
【０００５】
【発明の実施の形態】
【実施例１】
縫糸の端へ管口径に合わせた軟らかい綿玉を付け、対象配管の  内面塗装する流路以外の経路・開口を全て閉じ、対象流路の下流出口へ、縫い糸の付いた綿玉を挿填し、微弱な圧縮空気で後押しして、上流入口へ綿玉を吹き出させる。
縫糸端の綿玉を  塗布具誘導に必要な強さを持つ紐と繋ぎ換え、併せ塗料補給用チューブをつけ、下流出口から糸を引き、上流入口から紐を挿入し、下流出口から紐・チューブを引き出す。
下流出口に有る紐の端末に有る糸と、管口径に合わせた硬い綿玉へ塗料を含浸した物とを付け換える。
下流出口へ  塗料を含浸した硬綿玉と  塗料を充たし流出するチューブを挿填し、チューブへ塗料を補給しつつ、更に  下流出口から  微弱な圧縮空気を封入しつつ、上流入口から紐・チューブを引き出して、配管内面を塗装する。
【０００６】
【実施例２】
凧紐の端へ管口径に合わせた小パラシュート（図１）を付け、対象配管の内面塗装する流路以外の開口を全て閉じ、対象流路の下流出口へ、凧紐の付いたパラシュートを挿填し、微弱な圧縮空気で後押しして、上流入口へ吹き出させる。
凧紐端のパラシュートを  塗布具（図２）の誘導に必要な強さを持つ綱と繋ぎ換え、併せ塗料補給用チューブを付け、下流出口から凧紐を引き出し、上流入口から綱・チューブを挿入し、下流出口から綱・チューブを引き出す。
下流出口に有る綱の端末に有る紐と、管口径に合わせた釣鐘状の弾性体（図２）とを付け換えて、チューブと共に下流出口へ挿填し、微弱な空気で圧送しつつ、上流入口から綱・チューブを引き出して、配管内面を塗装する。
【０００７】
【発明の効果】
小口径金属管は  事前に内面塗装する以外に方法が無かった。事前に塗装された管材は溶接すると  塗膜が損傷した。配管設置後に仕上げとして内面を塗装できる事が理想であり、且つ  経年使用後  孔蝕・亀裂など軽微な損傷が有る場合や、特にそれが  部材の交換に多大な費用を要する場合、配管設置した状態で、内面塗装する事により、耐用年数を大幅に延長する事ができれば、その経済効果は大きいと思われる。
【図面の簡単な説明】
【図１】本発明による浮子としての軟らかい綿玉およびパラシュートの図である。
【図２】本発明による塗布具としての硬い綿玉および釣鐘状弾性体の図である。
【図３】本発明による誘導・駆動方法としての誘導・駆動部品の図である。
【符号の説明】
１  軟らかい綿玉
２  小パラシュート
３  硬い綿玉
４  塗料補給用チューブ
５  釣鐘状弾性体
６  誘導部分
７  駆動部分
８  小口径金属管
９  塗膜
【図１】
2004243298.tif 000003
【図２】
2004243298.tif 000004
【図３】
2004243298.tif 000005
(57)【要約】      （修正有）【課題】原油タンク内に蓄積した油水混合スラッジの処理に関して、遠心分離機で固形物を分離した後の、排出液中の油分濃度を低下させる方法を提供する。【解決手段】原油タンク内に蓄積した油水混合スラッジを遠心分離機に導入し、固形分と液体分に分離し、さらに、液体分にアクリル系の高分子凝集剤を添加し懸濁状態で浮遊する有機物を凝集沈殿させる方法。アクリル系の高分子凝集剤で凝集処理することによって、排出液を、透明度の有る油分１００ｐｐｍ以下の濃度の廃液にする。【選択図】図１
2004243300.tif 000002
【特許請求の範囲】
【請求項１】
原油タンク等に蓄積した、油水混合スラッジの処理方法に関して、スラッジを遠心分離機で、固形分と液体分に分離した後、液体分に有機系の高分子凝集剤を添加し、液体中に懸濁状態で浮遊している油分を凝集沈殿させる方法。
【請求項２】
有機系の高分子凝集剤として、分子量が１，０００，０００から５０，０００，０００のアクリル系高分子凝集剤を、廃液に対して０．２ＰＰＭから５０ＰＰＭの濃度に成る量添加する［請求項１］の方法。
【請求項３】
アクリル系の高分子凝集剤として、メタクリル酸エステル系ポリマー、あるいは、アクリル酸エステル系ポリマー、あるいは、アクリルアミド系ポリマーを使う［請求項２］の条件で、しかも［請求項１］の方法。
【発明の詳細な説明】
【０００１】
【発明の属する技術分野】
本発明は、原油タンク内に蓄積した油水混合スラッジの処理方法に関するものである。
【０００２】
【従来の技術】
従来、原油タンク内に蓄積した油水混合スラッジの処理は、固形物を遠心分離機、あるいはデカンターにより、機械的に分離するか、あるいは、米国特許（５６８１４８３／４９８３２９７）に示されるように、アルカリ金属イオンを投入して化学的に分離処理する方法がとられてきた。
【０００３】
国内特許では、原油タンク内に蓄積した油水混合スラッジの処理する方法は開示されていないが、たとえば、油水混合のスラッジに関して、特開２００２−１３６８０３では遠心分離機とタンクとの組み合わせで処理する方法が開示されている。又、特開２００１−２３９２９７では、３つの貯槽を用い、凝集剤を使う方法が開示されている。又、特開２００１−１６２１０７ではアルコールのアルキレンオキシド付加物を主成分とした非イオン界面活性剤、あるいは、アルキル基又はアルケニル基を少なくとも１個有する第４級アンモニウム化合物とを主成分とした凝集剤による凝集分離方法が開示されている。
【０００４】
【発明が解決しようとする課題】
従来の遠心分離処理、デカンター処理等による原油スラッジの機械的な処理、あるいは、アルカリ金属を用いた処理方法では分離しきれない、排水中に懸濁状態で浮遊する油分を分離除去し、排水中の油分の含有量を出来るだけ低下させる方法である。
【０００５】
【課題を解決するための手段】
本発明者は、上記の目的を達成すべく研究を進めたところ、これを充分に満足して達成できる方法として、遠心分離機で固形分を機械的に分離除去した後、アクリル系の高分子凝集剤を用い、排水中の懸濁物を凝集沈殿させる方法の開発に成功したものである。本発明は下記の構成を有するものである。
【０００６】
【発明を実施するための最良の態様】
【図１】に、本発明の油水混合スラッジの処理工程を示す。原油タンクに蓄積する油水混合スラッジには、砂等の固形分、水分、油分、の３成分が混合された状態で含まれている。ここで新しく提案される油水混合のスラッジの処理方法は、油水混合スラッジを、遠心分離機等を用い機械的に固形分を分離した後、さらに、液体分にアクリル系の高分子凝集剤を添加し、懸濁状態で浮遊する油分を凝集沈殿させる方法である。
【０００７】
【実施例】
油水混合スラッジの処理を、原油採掘会社の原油タンクより排出されたスラッジを用いて行った。この原油採掘会社は、インドネシアのカリマンタンで操業している米国系の会社である。
【０００８】
原油タンクに蓄積したスラッジには、砂等の固形分、水分、油分、の３成分が混合された状態で含まれていが、撹拌すれば、流動性を持っている。このスラッジを巴製の遠心分離機にかけ、４５００回転／分で固体と液体に分離した。固形分は遠心分離機より粘土状で排出された。液体分はタンクに溜め、比重差で浮き上がった上層部の油分を原油タンクに戻した。
【０００９】
下層部の水分を別のタンクに移し、アクリル系の高分子凝集剤として、アクリル酸エステル系ポリマーを水に対して０．５ｐｐｍ相当添加し、ゆっくり撹拌した。凝集が始まらないので、さらに０．５ｐｐｍ相当添加した。このように０．５ｐｐｍ相当単位で添加を続けた。
【００１０】
４回目の添加、すなわち２ｐｐｍ相当添加したところで凝集が始まった。ゆっくりと撹拌を続け、３０分後に撹拌を停止した。凝集物は下に沈殿するが、布を用いて簡単なろ過を行った。炉液は透明度が得られ、布の上には凝集物が堆積した。
【００１１】
尚、上記に示した凝集剤は固形である。固形のまま水中に直接添加すると固まってしまう。そこで、事前に約１０００倍に水で薄めた希釈液（１０００ｐｐｍ液）を作りこれを凝集液としてタンク内に添加した。
【００１１２】
油分分析評価
凝集前の液のサンプルと凝集後の液のサンプルを、公の分析機関であるＳＵＣＯＦＩＮＤＯ社に提出し、油分濃度の分析を依頼した。その結果、以下のような値が得られた。
凝集前の油分濃度      １０００ＰＰＭ
凝集後の油分濃度          ５０ＰＰＭ
【００１３】
【発明の効果】
本発明によれば、原油タンクに蓄積した油水混合スラッジに、遠心分離操作と凝集沈殿操作を連続して行えば、排出される廃液中の油分を１００ｐｐｍ以下に低減することができる。これは、非常に効果的な廃液の処理方法である。
【図１】
2004243300.tif 000003
【手続補正書】
【提出日】平成15年5月12日(2003.5.12)
【手続補正２】
【補正対象書類名】明細書
【補正対象項目名】図面の簡単な説明
【補正方法】変更
【補正の内容】
【図面の簡単な説明】
【図１】貯蔵タンクには、油水混合スラッジが貯蔵されている。遠心分離機は、水と油の混合物である液体と固体である砂とを分離する。水と油の混合物は凝集剤により水と油に分離する。分離された水は、排水として排出できる。
(57)【要約】【課題】この発明は集塵装置と集塵取り込み口との間に取り付けて集塵を分離させる装置に関するものである。【解決手段】集塵分離器本体上部の内部に羽を設けて気流を起こしその回転する力で集塵を細かい集塵と大きな集塵に分離させる。【特許請求の範囲】
【請求項１】
（イ）  本体は上部（１）の分離器本体と下部（２）の集塵箱に分かれる。
（ロ）  本体の内部には集塵を分離する為の羽（３）を設ける。
（ハ）  本体には集塵を取り込む為の口（４）と吐き出す為の口（５）を設ける。
以上の如く構成された、集塵分離装置。
【請求項２】
集塵装置と集塵する所の間に取り付けて使用する請求項１の集塵分離装置
【発明の詳細な説明】
【０００１】
【発明の属する技術分野】
この発明は、集塵装置と集塵口の間にもうけて集塵を集塵分離機で集塵に気流を与え細かい集塵と大きな集塵を分ける装置に関するものである。
【０００２】
【従来の技術】
従来の集塵装置は集塵をそのまま集塵していたため集塵装置のファンや集塵袋に重大な損傷を与える危険性があった。
大きな破片を集塵装置に集塵した時に集塵袋が破損して破片が袋の外に飛び出すこともあり危険であった。
【０００３】
【発明が解決しようとする課題】
したがってこの装置は集塵に気流を与える事によって細かい集塵と大きな集塵に分ける事によって細かい集塵は集塵装置本体に大きな集塵は集塵分離器の集塵箱に集まるようにした。
【０００４】
【課題を解決するための手段】
いま、その構成を説明すると、
（イ）  集塵分離器本体。
（ロ）  集塵分離器本体上部内部に羽を設ける。
（ハ）  下部は集塵箱にする。
（ニ）  集塵分離器を集塵装置と集塵の吸い込み口の間に取り付ける。
以上のように装置する。
【０００５】
【発明実施の形態】
次に本発明の実地の形態を述べると、取り込まれた集塵は集塵器本体に設けられた羽によって気流が発生し回転する。
したがって、その回転する力によって集塵は細かい集塵と大きな集塵に分離される。
分離された集塵は細かい集塵は集塵装置の集塵袋に、大きな集塵は集塵分離機の集塵箱に格納される。
また、この集塵分離器はこの気流を起こす事が出来れば、形状が変わっても効果が得られる。
【０００６】
【発明の効果】
だから集塵分離器で集塵を分ける事によって集塵装置のファン及び集塵袋の破損が防げる。
【図面の簡単な説明】
【図１】本発明の右図面
【図２】本発明の斜視図
【図３】本発明の実地例の斜視図
【図４】本発明の原理図
【符号の説明】
１  は集塵器本体上部
２  は集塵器本体下部
３  は羽
４  は集塵口
５  は吐き出し口
【図１】
2004243299.tif 000002
【図２】
2004243299.tif 000003
【図３】
2004243299.tif 000004
【図４】
2004243299.tif 000005
(57)【要約】      （修正有）【課題】飲料水の酸化還元電位をマイナスにし、常時携帯可能でいつでも飲める環境を、コンパクトな設計で提供する。【解決手段】マグネシウムを主体とした数種類の材料を適正割合で組み合わせた製品とし、該製品を飲料水ペットボトル等に投入することで、常温の飲料水が還元電位状態になり、体内に摂取される場合、極めて良好な体調へと移行し、長期摂取によりそれを維持する。【選択図】図６
2004243297.tif 000002
【特許請求の範囲】
【請求項１】
常温にて、水の酸化還元電位をマイナス数値にするため、原材料である、高純度マグネシウム無機質を混合させる内容のみで構成する。
市販のペットボトルにも、投入できる特徴をもつ携帯可能な、水質改善アイテムです。
【発明の詳細な説明】
【０００１】
【発明の属する技術分野】この発明は、飲料水ペットボトル等に、投入し飲料水の酸化還元電位を、マイナスに転換し還元作用の強い、良質飲料水にするものです。
【０００２】
【従来の技術】従来、水の酸化還元電位をマイナスにする為の機器は、電極を使い、結果、酸性水と還元水を同時に作成し、基本的に、持ち運びが不可能。
また、従来の材料構成と、著しく異なるものです。
【０００３】
【発明が解決しようとする課題】
本発明のエコスティックＨ−０２は、常温で水に反応いたします。これは、一切、電気を使わず、酸化還元電位をマイナスにさせて作用する水＝飲料水を、極めて良質な、還元水にいたします。
従来同時にできた酸化水は、一切、発生しないことになります。
従来の機器は、電気設備が必要で、持ち運び可能ではなく、常に飲料水を飲むという環境、外出先での欲求は、なしえなかった。
本発明は、家でも、外出先でも、常に持ち歩きが可能となります。
【０００４】
【課題を解決するための手段】
原材料は、高純度マグネシウム（Ｍｇ）を主体に、数種類の材料を任意に混合させた無機質で構成、常温還元作用を可能としました。
その比率は、高純度マグネシウムＭｇ（４５．４５）％、
無機質（輝石＋石英＋斜長石）      （５４，５５）％となります。
製造は、高純度マグネシウムを、０．５〜０．７ｍｍのペレット状と無機質セラミックを、２ｍｍ〜３ｍｍ球状で、重さ１１〜１５ｇで構成。
Ｈ−０２のパッケージは、直径１８ｍｍ、長さ１１０ｍｍの円錐形。
これらの、原材料を一体にして、組み上げることにより、常温にて飲料水はマイナス数値の還元電位状態になるのです。
この割合は、正確に遵守すべきもので、その量を含め飲料水として、飲みやすい状態を維持するのが、エコスティックＨ−０２なのです。
【０００５】
【発明の実施の形態】
以下、本発明の形態について説明いたします。
材料（図面１、２）を
【０００４】に記載の割合で混合し、強撚糸系の袋（図面３）に収めます。Ｈ−０２のパッケージ（図面４）に、配置しエコスティックＨ−０２の完成となります。
市販の飲料水ボトル（図面６）に、投入ご、約８時間〜２４時間の経過後（図面６）には、極めて良質な還元水の飲料水となります。
【０００６】
【発明の効果】
エコスティックＨ−０２は、コンパクトな設計で、使用環境を選びません。持ち運びが自由で、いつでも、良質な還元水が飲める事生活を実現いたします。また構造が簡単ですので量産可能です。
【図面の簡単な説明】
【図１】高純度マグネシウムペレット。
【図２】無機質セラミックペレット。
【図３】原材料をまとめる、袋である。
【図４】本発明の、全体像である。
【図５】本発明の、断面図である。
【図６】本発明品の、使用例である。
【符号の説明】
１マグネシウム
２無機質セラミック
３内部袋
４外観パッケージ
５外観パッケージ断面
６飲料水ペットボトル２Ｌ
７エコスティックＨ−０２
【図１】
2004243297.tif 000003
【図２】
2004243297.tif 000004
【図３】
2004243297.tif 000005
【図４】
2004243297.tif 000006
【図５】
2004243297.tif 000007
【図６】
2004243297.tif 000008
(57)【要約】【課題】大きなミストから微小なミストまで捕捉でき、気液の分離効率が高い気液分離器を提供する。【解決手段】上本体１と下本体２と底蓋３とでケーシングを形成し、上本体１と排気管９で形成する環状空間１３に旋回羽根１４を配置する。排気管９の内側に内部の流路面積を入口４側から出口５側へ向かって広げて形成したフィルター収容筒１０を配置し、フィルター収容筒１０の内部にフィルター１２を充填する。環状空間１３の上方を入口４に、フィルター収容筒１０の内側を出口６に連結する。フィルター１２は、入口４側から出口５側へ向かって、粗密度フィルター１２ａ、中密度フィルター１２ｂ、細密度フィルター１２ｃの３層に形成する。【選択図】            図１
2004243235.tif 000002
【特許請求の範囲】
【請求項１】
ケーシングと排気管で形成する環状空間に旋回羽根を配置し、環状空間の上方を入口に連結し、排気管の内側の孔を通してその上方を出口に連結し、環状空間の下方に旋回室と該旋回室の下方に排液室を形成し、排気管の内側の孔にフィルターを充填したものにおいて、フィルターの密度を入口側から出口側へ向かって粗いものから細いものに形成すると共に、フィルターを充填する流路面積を入口側から出口側へ向かって広げて形成したことを特徴とする気液分離器。
【発明の詳細な説明】
【０００１】
【発明の属する技術分野】
本発明は、蒸気や圧縮空気や各種ガス等の気体中に混入している復水や凝縮水等の液体を分離する気液分離器に関する。
【０００２】
【従来の技術】
【特許文献１】
実開昭６３−１０７７１９号公報
従来の気液分離器は、ケーシングと排気管で形成する環状空間に旋回羽根を配置し、環状空間の上方を入口に連結し、排気管の内側の孔を通してその上方を出口に連結し、環状空間の下方に旋回室と該旋回室の下方に排液室を形成し、排気管の内側の孔にフィルターを充填したものであり、入口からの流体を旋回羽根で旋回せしめることにより、遠心力の作用で水滴を外側に振り出して排液室に流下させ、旋回流の中央部のミストと気体を排気管の内側のフィルターに通しミストをフィルターで捕捉すると共に気体を出口に流下させるものである。この一例が実開昭６３−１０７７１９号公報に示されている。
【０００３】
【発明が解決しようとする課題】
上記従来技術の気液分離器は、フィルターによって大きなミストから微小なミストまで補足できないために、気液の分離効率が低いという問題があった。
【０００４】
従って、本発明の技術的課題は、大きなミストから微小なミストまで捕捉でき、気液の分離効率が高い気液分離器を提供することである。
【０００５】
【課題を解決するための手段】
上記の技術的課題を解決するために講じた本発明の技術的手段は、ケーシングと排気管で形成する環状空間に旋回羽根を配置し、環状空間の上方を入口に連結し、排気管の内側の孔を通してその上方を出口に連結し、環状空間の下方に旋回室と該旋回室の下方に排液室を形成し、排気管の内側の孔にフィルターを充填したものにおいて、フィルターの密度を入口側から出口側へ向かって粗いものから細いものに形成すると共に、フィルターを充填する流路面積を入口側から出口側へ向かって広げて形成したことを特徴とする気液分離器にある。
【０００６】
【発明の実施の形態】
本発明は、フィルターの密度を入口側から出口側へ向かって粗いものから細いものに形成したものであるので、フィルターの密度に応じた大きさのミストを捕捉することができる。また、フィルターを充填する流路面積を入口側から出口側へ向かって広げて形成したものであるので、ミストの流速を低下させてミストを確実に捕捉することができる。そのため、大きなミストから微小なミストまで確実に捕捉でき、気液の分離効率が高い気液分離器を提供することができる。
【０００７】
【実施例】
上記の技術的手段の具体例を示す実施例を説明する（図１参照）。ケーシングは上本体１に下本体２をボルトで締結し、下本体２に底蓋３をボルトで締結して形成する。上本体１は左右に入口４と出口５を有する。底蓋３は排液口６を有し、排液口６は排液弁座７に開けた排液弁口８から連通する。
【０００８】
上本体１の内部に二重のほぼ円筒形状の排気管９を固定し、排気管９の内側円筒内にフィルター収容筒１０を固定し、排気管９の内側円筒と外側円筒の間にテーパー形状のスクリーン１１を固定する。フィルター収容筒１０の内部に多数の長尺状のステンレス製の細線で製作したフィルター１２を充填する。フィルター収容筒１０は、その径を入口４側から出口５側へ向かって大きくして、内部の流路面積を入口４側から出口５側へ向かって広げて形成する。フィルター１２は、入口４側から出口５側へ向かって、粗密度フィルター１２ａ、中密度フィルター１２ｂ、細密度フィルター１２ｃの３層に形成する。排気管９の内外円筒の間に形成される環状空間１３に、排気管９と一体に旋回羽根１４を形成する。
【０００９】
入口４はスクリーン１１を通して下方の環状空間１３に連結し、フィルター収容筒１０内側は上方の出口５に連結する。環状空間１３の下方に旋回室１５を形成し、旋回室１５の下方に排液室１６を形成し、排液室１６に中空球形のフロート１７を自由状態で配置し、フロート１７を底蓋３に固定した逆カップ状の隔壁部材１８で覆う。フロート１７は液位に応じて浮上降下して排液弁座７の排液弁口８を開閉し、液体を排液口６から系外に排出する。
【００１０】
入口４から入った液体を含む気体は旋回羽根１４で旋回せしめられる。液体は遠心力の作用で外側に振り出されて分離され、旋回室１５の内周壁に沿って排液室１６に流下する。排液室１６に流下した液体はフロート１７の浮上降下によって自動的に排液口６から系外に排出される。旋回流の中央部のミストと気体は、フィルター収容筒１０の下端からフィルター１２へ向かい次第に流速が低下する。大きなミストはフィルター１２ａによって、中程度のミストはフィルター１２ｂによって、微小なミストはフィルター１２ｃによって確実に捕捉され、気体が出口５へ流下する。
【００１１】
【発明の効果】
上記のように本発明によれば、フィルターの密度を入口側から出口側へ向かって粗いものから細いものに形成すると共に、フィルターを充填する流路面積を入口側から出口側へ向かって広げて形成したものであるので、大きなミストから微小なミストまで確実に捕捉でき、気液の分離効率を高めることができるという優れた効果を生じる。
【図面の簡単な説明】
【図１】本発明の気液分離器の断面図。
【符号の説明】
１    上本体
２    下本体
３    底蓋
４    入口
５    出口
６    排液口
７    排液弁座
８    排液弁口
９    排気管
１０    フィルター収容筒
１１    スクリーン
１２    フィルター
１２ａ    粗密度フィルター
１２ｂ    中密度フィルター
１２ｃ    細密度フィルター
１３    環状空間
１４    旋回羽根
１５    旋回室
１６    排液室
１７    フロート
１８    隔壁部材
【図１】
2004243235.tif 000003
(57)【要約】【課題】従来の洗たく挟みは挟むことに重点をおき急な雨降りの時を考えずして取り外すのに不便さがあったまた厚物薄物の素材にも一定の力しかでず調節できるものがなかったまして立て型で取り外す便利なものがなかった。素材にも２つ使用された物が多く処理と再利用に問題が残されていた。解決手段物挟む力に強弱の調節仕組を取り入れ片手でそっぱり外せるワンタッチ化を楽しめる挟みにしたことである。【選択図】図１
2004243091.tif 000002
【特許請求の範囲】
【請求項１】
この本体の外部は棒状円筒状とし内部には逆Ｕ字型で構成され工程では外部と内部を一体成型にしている特徴がある本体の外部の延縮構造で部分をそなえた物である内部となる逆Ｕ字型の板は挟むつまむの役わりをする。
内部には逆Ｕ字型の板が左右開閉可能な復元力があり機能部分を持つ立端の板の長さは同じで先端が互いに合わさるようになっている。
【請求項２】
本体の外部には外見にからみで持たせた切れ目があり延縮可能となる湾曲があるように作る外部の下層となる部分を引っぱると延る仕組にしてその上下運動から外部の下層部が下る度合いで強弱の挟みの力を調節可能として本体を立て型の棒状化された円筒の挟みとする。四角ハンガーに折り畳める。
【発明の詳細な説明】
【０００１】
2004243091.tif 000003
下に下るほど挟む力は強度となりＢの挟まれる力は調節される。
【０００２】
【従来の技術】
従来の洗たく挟みは物をしっかり止める物が多くその技術を重視していたものが多く本体もＸ状に組み合わせた物が多かった。スリムには乏しいものであった挟む度合の調節機能はなく素材も２つは使用されるものが多かった再利用や不用処理や環境問題があった。かつ干し物の外す考慮はされていない。
例えば）
【特許文献１】
組み立式挟物具  参照
【特許文献３】
洗濯物干具  参照
カラマーヌ  参照
物干し器  参照
【０００３】
【発明が解決するための課題】
洗濯挟みを立て型としてスリム化にし挟む力に強弱を与えられる機能を取り入れ、急な雨が降っても片手で引っぱって楽に外せる技みを成作する。
【０００４】
発明で解決する為の手段
2004243091.tif 000004
うに湾曲されたバネの役わりをするひねりを持った切れ目を本体のＡに入れる。
2004243091.tif 000005
【０００５】
【発明の実施と形態】
以下本発明の実施と形態図に基づいて説明する。
【０００６】
2004243091.tif 000006
を下に下げる事で内部のＢはせばまり閉じるという作用が働きをする。
【０００７】
【課題を解決するための手段】
干し物や挟み物をした場合内部にある逆Ｕ字型のＰは閉じた状態になる為外部のＡは下に下がった状態を示す、それを内部のＢはつまむ事を強弱を力に持たせる外部Ａが必要となるかつ丈夫でスベリやすい堅い強化プラスチック等の統一された素材が必要とされる。
【０００８】
【発明の効果】
子供老人でも簡単に片手を使って取り外せるのが良い急な雨降りも大変楽である従来の挟む事に重点をおくのではなく挟む力に調節さと取り外すことを考えたたて型を本体とした処理と再利用を考慮した素材統一の挟みである。
【図面の簡単な説明】
【図１】本発明の実施形体を示す挟み調節可能挟み
【図１】
2004243091.tif 000007
(57)【要約】【課題】セルライトの原因になる皮下脂肪や循環不良を簡便に正常な状態に戻すことができる装置を提供することを目的とする。【解決の手段】主にプラスチックスでできた本体ケース（１０）の内部に駆動用モーター（１）を設け、表面に凹凸の有るゴム製ベルト（６）を設けた駆動される前方回転ローラー（２）及び負荷のかかった状態の後方回転ローラー（３）を軸に対して偏芯し設け、これらを歯車（５）で連結する。本体ケース（１０）の外部にはモーター（１）に電気を送るための電源コネクタ（７）を保持するための本体保持部（８）、電源スイッチ（４）等を設ける。以上を特徴とする【選択図】図１
2004243056.tif 000002
【特許請求の範囲】
【請求項１】
主にプラスチックスでできた本体ケース（１０）の内部に駆動用のモーター（１）を設け、表面に凹凸の有るゴム製ベルト（６）を設けた駆動される前方回転ローラー（２）及び負荷のかかった状態の後方回転ローラー（３）を軸に対して偏芯し設け、これらを歯車（５）で連結する。更に本体ケース（１０）の外部にはモーター（１）に電気を送るための電源コネクタ（７）を保持するための本体保持部（８）、電源スイッチ（４）等を設ける以上の構成の偏芯ローラーによるマッサージ機
【請求項２】
前方回転ローラー（２）若しくは後方ローラー（３）の表面に凹凸を直接取り付けた請求項１の偏芯ローラーによるマッサージ機
【発明の詳細な説明】
【０００１】
【産業上の利用分野】
本発明は、セルライト（脂肪の塊）の原因になる皮下脂肪の血液や  リンパの循環不良を改善、促進させ、脂肪の中に濁ったリンパ液を排出すると共に  セルライトや皮下脂肪に圧迫されている毛細血管やリンパ管を正常に戻すことが出来るマッサージ機である
【０００２】
【従来の技術】
従来は、ローラーが前後する形式や真空（バキュウム）方式などが有った
【０００３】
【発明が解決しようとする課題】セルライトまたはセルライト（脂肪の塊）の原因になる皮下脂肪や  リンパの循環不良を改善、促進させる為  また、脂肪の中に濁ったリンパ液を排出させるために  回転式ローラーマッサージ機を効果的に駆動すること
【０００４】
【課題を解決するための手段】
本発明は、２つの回転するローラーを使い、２つの回転ローラーをそれぞれ偏芯させると共に、２つの回転ローラーの速度に違いを出した  また、回転ローラーに凹凸を設ける為、螺旋状にゴム製ベルトを巻きつけた。このベルトには球面や三角錐の突起物を設けてあり、この回転機構により、より効果的なマッサージの機構となっている
【０００５】
【実施例】
以下に本発明の実施例を図１、図２を基に説明する
主にプラスチックスでできた本体ケース（１０）の内部に駆動用のモーター（１）を設け表面に凹凸の有るゴム製ベルト（６）を螺旋状に設けた駆動される前方回転ローラー（２）及び負荷のかかった状態の後方回転ローラー（３）を軸に対して偏芯して設け、これらを歯車（５）で連結する。更に本体ケース（１０）の外部にはモーター（１）に電気を送るための電源コネクタ（７）を保持するための本体保持部（８）、更にローラー回転スピード調整ツマミ（９）、電源スイッチ（４）を設ける。
本品を用いる場合は本体上部にある本体保持部（８）を、人差し指と中指の間にはさみ  本体側面部に設けた電源スイッチ（４）をＯＮの状態にし、モーター（１）を駆動し、連結されている前方の回転ローラー（２）を駆動し、本装置をセルライトや皮下脂肪がある場所などに適当な力で押し当て皮膚の上をすべらせる。後方の回転ローラー（３）には負荷がかかっているためローラー間の間で皮膚がつまみ上げられる状態になり、この状態で本装置を移動するとつまみ上げられた部位が移動する。本装置を皮膚に押し付ける力を加減することでつまみ上げられる皮膚の量を調整できる。また、前方回転ローラーのスピードを変えたい場合は、ローラー回転スピード調整ツマミ（９）によって調整出来る。この際ローラー回転スピードツマミ（９）は取り付けなくてもよい。又ゴム製ベルト（６）を用いずに前方回転ローラー（２）及び後方回転ローラ（３）に直接凹凸を設けてもよい。
【発明の効果】
本発明は以上説明したような形態で実施され、以下に記されるような効果がある
【０００６】
手のひらに入るサイズで、小型モーターを利用できるため本人、または他人の過度な労力を必要とせず簡単に片手でマッサージを行うことが出来る
【０００７】
使用者は押し当て移動させる動作のみのためマッサージの効果は一定であり人手による効果の違いは少ない
【０００８】
本装置はＡＣ１００Ｖを使用できるため屋内であれば場所を選ばない
【０００９】
本装置は小型であり持ち運びに便利である
【００１０】
偏芯ローラーとローラーに取り付けた凹凸及びローラーの速度差を利用した比較的簡便な構造であるがつまむという動作が確実に行うことができる。
【図面の簡単な説明】
【図１】本発明の概観図である
【図２】本発明の作動例の図である
【符号の説明】
１      モーター
２      前方回転ローラー（駆動側）
３      後方回転ローラー（フリー）
４      電源スイッチ
５      歯車（ギア）
６      ゴム製ベルト（球面突起付）
７      電源コネクタ（ＤＣ１２Ｖ）
８      本体保持部
９      ローラー回転スピード調整ツマミ
１０      本体ケース
【図１】
2004243056.tif 000003
【図２】
2004243056.tif 000004
(57)【要約】【課題】加齢により足腰が弱くなり、立ち座りに不自由を感じてる方々には、構造が複雑でスイッチやレバー操作などで、椅子の動きに体勢が十分に整わないのに使用することもあり使いかってが悪かった。高価で使用時に不安を助長する等の問題があった立上り補助椅子が提案されていた。そこで、本発明は、構造が簡単で、スイッチやレバーなどの操作を必要としない立ち座り補助椅子を提供することを課題し難点を解消したものである。【解決手段】前脚内側の左右各斜めに掘りこんだガイド溝５に座面前部左右の円筒形の突起４で可動支持し図３、かつ座面下部に取付角度が可変できる金具３図４を介して体重の変化にともない上下動可能な支持機構を取付け、もう一方を椅子横桟１０の中央に金具３図５で可動可能とし垂直近い形でとりつける。【選択図】図１
2004243053.tif 000002
【特許請求の範囲】
【請求項１】
前脚内側の左右各斜めに掘りこんだ突起４のガイド溝５、座面前部左右の円筒形の突起４で４ａの高さまで可動支持し、座面下部に取付角度が可変できる金具を介して体重の変化にともない上下動可能な支持機構取付け体重の移動だけで座面が立ち易い位置まで、体形に合った角度で持ち上りを可能とする立ち座り補助椅子。
【発明の詳細な説明】
【０００１】
【発明に属する技術分野】
本発明は、加齢により足腰が弱くなり、立ち座りに不自由を感じてる方々に、自分の体重の移動だけできめこまかく援助し、無理なく手軽に安心して使用でき、構造もできる限り簡単にし安価に製作可能で居間に置いても違和感のないデザインにできるようにした立ち座り補助椅子に関する。
【０００２】
【従来の技術】
従来の立ち座り補助椅子は、モーターや巻き掛け機構を駆使した構造が複雑で高価、しかもスイッチやレバーなどで操作し、椅子の動きに体勢が十分に整わないのに使用することもあり身体のバランスを失い易く、使用時に不安を助長する等の問題があった。
【０００３】
【発明が解決しようとする課題】
加齢により足腰が弱くなり、立ち座りに不自由を感じてる方々に上記のような立上り補助椅子が提案されている。これらは、スイッチやレバー操作など多く、構造が複雑で老人などにとっては、使いかってが悪かった。
そこで、本発明は、構造が簡単で、スイッチやレバーなどの操作を必要としない立ち座り補助椅子を提供することを目的とする。
【０００４】
【発明が解決するための手段】
前脚内側の左右各斜めに掘りこんだガイド溝５に座面前部左右の円筒形の突起４で可動支持し図３、かつ座面下部に取付角度が可変できる金具３図４を介して体重の変化にともない上下動可能な支持機構を取付け、もう一方を椅子横桟１０の中央に金具３図５で可動可能とし垂直近い形でとりつける。
【０００５】
【発明の実施の形態】
図１に示すように１１は右前脚である。１２は右後脚です。１３は１１・１２をつなぐそり板です。７は肘掛で１１・１２をつなぎ立ち座り補助椅子の右側面とします。同じく図２に示すように１１ａは左前脚である。１２ａは左後脚です。１３ａは１１ａ・１２ａをつなぐそり板です。７ａは肘掛で１１ａ・１２ａをつなぎ立ち座り補助椅子の左側面とします。図２の１４は背もたれです。背もたれの両端で左右側面後脚１２ａ・１２を固定します。図１の８は両端で左右側面後脚図２の１２ａ・１２のを固定し更に着座時の図１座面１を安定させる横桟です。図２の９は両端で左右側面前脚１１ａ・１１固定し更に着座時の座面１を安定させる横桟です。図２の１０は両端で左右側面脚下部に取付けた１３ａ・１３のそり板を両端で固定し、更に支持機構を取付ける横桟です。３ｂは横桟１０と支持機構本体との取付け部分図５の角度が可変できる取付け金具です。図１の６は支持機構本体である。２は支持機構のロットです。３は支持機構のロット２と座面１の取付け部分の角度が可変できる取付け金具です。４は図３の座面前部左右に付けた円筒状の突起です。５は前脚内側４のガイド用溝である。座面１は最低高さの位置から、前脚内側の左右各斜めに掘りこんだガイ溝５座面前部左右の円筒形の突起４で４ａの高さまで座面下部に取付角度が可変できる金具３図４を介して体重の変化にともない上下動可能な支持機構取り付け、水平に近い形でガイド溝５に沿って前に移動しながら持ち上げ、４ａの高さからさらに３ａを押上げることにより、除々に座面後側が上がり前傾状態となり自然に起立する姿勢に近い位置まで援助しかつ座った時に安定するように前後の脚に横にストッパーを兼ねた桟８、９を取り付ける。立ち座り補助椅子である。
【０００６】
【発明の効果】
加齢により足腰が弱くなり、立ち座りに不自由を感じてる方々に上記のように体重移動だけできめこまかく援助し、おもい通りに無理なく安心して使用でき筋力も多少使いますので、気軽に立ったり座ったりでき、体力アップにもつながります。又構造をできる限り簡単にし安価に製作可能で、家族にとけこんだ居間に置いても違和感のないデザインにすることができます。
【図面の簡単な説明】
【図１】本発明の立ち座り補助椅子側面図です。
【図２】本発明の立ち座り補助椅子正面図です。
【図３】前脚の斜めに掘ったガイド溝とそれに入り溝に沿って上下する座面前部の円筒形の突起を示す分解斜視図です。
【図４】座面裏の支持機構の取付け部分を示す正面図です。
【図５】横桟１０の支持機構の取付け部分を示す正面図です。
【符号の説明】
１    座面。
１ａ  立上った状態の座面。
２    支持機構ロッド。
２ａ  引伸ばした状態の支持機構ロッド。
３    支持機構ロッドと座面取付部分との接合部分。
３ａ  立上った状態の支持機構ロッドと座面取付部分との接合部分。
３ｂ  支持機構ロッドと椅子横桟との取付部分。
４    座面に取り付けたスライド用円筒形の突起。
４ａ  立上った状態の座面に取り付けたスライド用円筒形の突起。
５    座面円筒形の突起のガイド用溝。
６    支持機構本体。
７    右肘掛。
７ａ  左肘掛。
８    後横桟。
９    前横桟。
１０    支持機構本体取付け横桟。
１１    右前脚。
１１ａ  左前脚。
１２    右後脚。
１２ａ  左後脚。
１３    右そり板。
１３ａ  左そり板。
【図１】
2004243053.tif 000003
【図２】
2004243053.tif 000004
【図３】
2004243053.tif 000005
【図４】
2004243053.tif 000006
【図５】
2004243053.tif 000007
(57)【要約】【課題】子供が砂場で遊ぶときに、簡単にトンネルのある砂山をつくることができる砂場用玩具を提供する。【解決手段】開口部の対向する位置に設けられた溝（２）または受け部（４）を有する容器本体（１）と、この溝（２）に渡らせてはめることができる形状のトンネル構成用部材（３）を設けたことを特徴とする。【選択図】    図１
2004243052.tif 000002
【特許請求の範囲】
【請求項１】
開口部の対向する位置に設けられた溝（２）を有する容器本体（１）と、この溝（２）に渡らせてはめることができる形状のトンネル構成用部材（３）とよりなる砂場用玩具。
【請求項２】
溝（２）から側面に向けて突出させ、前記トンネル構成用部材（３）を受けることができる形状の受け部（４）を有することを特徴とする請求項１記載の砂場用玩具。
【請求項３】
容器本体（１）とトンネル構成用部材（３）を着脱可能に固定することができる着脱機構を有するものであることを特徴とする請求項１又は２記載の砂場用玩具。
【請求項４】
トンネル構成用部材（３）は一端側から多端側にかけて形状を縮小させた形状よりなり、溝（２）あるいは受け部（４）は接続箇所がトンネル構成用部材（３）の外形に近似した形状であることを特徴とする請求項１，２又は３記載の砂場用玩具。
【発明の詳細な説明】
【０００１】
【発明の属する技術分野】
この発明は、子供が砂場で遊ぶときに、簡単にトンネルのある砂山をつくることができる砂場用玩具に関するものである。
【０００２】
【従来の技術】
従来には、休憩時の腰掛け用として使える小児の遊び道具としてのバケツとして、開口縁に水のはけ口を設けた鍔縁を設けたことを特徴とする小児の遊び道具用のバケツの技術が知られている。
【０００３】
【特許文献１】
登録実用新案第３０２６９６０号
【０００４】
【発明が解決しようとする課題】
これは次のような欠点があった。
従来の砂場用のバケツ等の玩具を使用して砂山にトンネルをつくる場合、まずバケツに湿った砂をいっぱいに詰めて、地面にひっくり返して砂山をつくる。しかし従来のバケツでは、山をつくるのに利用できてもトンネルまではつくることはできなかった。そこで砂山ができた後で、手や道具を用いて砂山にトンネルを掘るが、幼児では砂をかきだす時に砂山を崩してしまうことが多く、簡単にトンネルは掘れない。
本発明は、これらの欠点を解決するために発明されたものである。
【０００５】
【課題を解決するための手段】
開口部の対向する位置に溝（２）を設け、溝（２）から側面に向けて突出させて、トンネル構成用部材（３）を受けることができる形状の受け部（４）を有する容器本体（１）と、この溝（２）に渡らせてはめることができる形状のトンネル構成用部材（３）を設ける。容器本体（１）とトンネル構成用部材（３）を着脱可能に固定することができる着脱機構を設ける。本発明は、以上の構成よりなる砂場用玩具に関するものである。
【０００６】
【発明の実施の形態】
以下、本発明の実施の形態について説明する。
（イ）材質は、ポリプロピレン等、幼児の玩具に適した素材をもちい、容器本体（１）の大きさは、砂（７）を満杯にした状態でも、幼児がひっくり返すことができる容量の大きさとする。
（ロ）容器本体（１）の開口部の対向する位置に溝（２）を設け、溝（２）から側面に向けて突出させて、トンネル構成用部材（３）を受けることができる形状の受け部（４）を設け、容器本体（１）の内側面は、投入した砂（７）をひっくり返した時に山の形になるように、すり鉢状の形に設け、外側面は土台となるための枠を設けた容器本体（１）を設ける。
（ハ）容器本体（１）の溝（２）に渡らせてはめることができる形に湾曲した、トンネル構成用部材（３）を設ける。
（ニ）容器本体（１）とトンネル構成用部材（３）を着脱可能に固定することができる着脱機構として、容器本体（１）の受け部（４）に突起部（５）を設け、トンネル構成用部材（３）に突起部（５）を受けることのできる穴（６）を設ける。
本発明は以上のような構成で、これを使用する時は、まず容器本体（１）に湿った砂（７）を溝（２）より少し越えるぐらいまで投入しながら押し固める。その上から、トンネル構成用部材（３）の穴（６）を、突起部（５）にはめ合わせながら押し固める。容器本体（１）とトンネル構成用部材（３）との上下のすきまに、開口部一杯になるまで砂（６）を投入しながら更に押し固める。重ね合わせた容器本体（１）とトンネル構成用部材（３）を両手で持ちながら、地面にひっくり返す。容器本体（１）を抜き、トンネル構成用部材（３）を引き抜けば、トンネルのある砂山が完成する。図５で示すように、砂山のトンネルが出来上がったら、持ち手（８）のついた乗物の玩具（７）等で、トンネルに通過させる遊びができる。また、トンネル構成用部材（３）を滑り台代わりにして、持ち手（８）を離脱させた乗物の玩具（７）を、滑らして遊ぶなどの応用もできる。また、図６で示すように、トンネル構成用部材（３）を地面に置き、その上に砂（７）を自由な形状に押し固めてから、トンネル構成用部材（３）を引き抜くことによって、自由な形状のトンネルのある砂の立体物をつくることもできる。
【０００７】
【第２実施の形態】
図３の断面図で示すように、トンネル構成用部材（３）を、一端側から多端側にかけて形状を縮小させた形状に設け、溝（２）あるいは受け部（４）は接続箇所がトンネル構成用部材（３）の外形に近似した形状に設けることによって、トンネル構成用部材（３）を砂から引き抜くときに、大きい形状側から引き抜けば、砂（７）とトンネル構成用部材（３）の外形との摩擦の抵抗が少なくなるので、さらに引き抜きやすくなる。
【０００８】
【第３実施の形態】
図４の断面図で示すように、容器本体（１）の内側面の形状を変えることによって、いろいろな形状のトンネルのある砂の立体物をつくることができる。
【０００９】
【発明の効果】
この玩具を使用することにより、子供でも簡単にトンネルのある砂山ができるので、砂場での遊びの幅が増え楽しく遊ぶことができる。容器本体（１）はバケツとしても使用できる。
【図面の簡単な説明】
【図１】本発明の斜視図である。
【図２】本発明の断面図である。
【図３】本発明の第２実施の形態の断面図である。
【図４】本発明の第３実施の形態の断面図である。
【図５】本発明の使用状態を示す斜視図である。
【図６】本発明の使用状態を示す斜視図である。
【符号の説明】
１    容器本体
２    溝
３    トンネル構成用部材
４    受け部
５    突起部
６    穴
７    砂
８    乗物の玩具
９    持ち手
１０  手
【図１】
2004243052.tif 000003
【図２】
2004243052.tif 000004
【図３】
2004243052.tif 000005
【図４】
2004243052.tif 000006
【図５】
2004243052.tif 000007
【図６】
2004243052.tif 000008
(57)【要約】【課題】不織布の指サックの先端に取り付けたメラミン樹脂スポンジのシートで歯の表面の歯石や沈着色素を安全かつ衛生的に取り除く、使い捨て指サック式歯の美白具を提供する。【解決手段】不織布からなる略円筒状の指サック（１）の先端部に、メラミン樹脂のスポンジシート（２）を取り付けたことを特徴とする。【選択図】    図１
2004243057.tif 000002
【特許請求の範囲】
【請求項１】
不織布からなる略円筒状の指サック（１）の先端部にメラミン樹脂スポンジシート（２）を取り付けた使い捨て指サック式歯の美白具。
【発明の詳細な説明】
【０００１】
【発明の属する技術分野】
この発明は、不織布の指サックの先端に取り付けたメラミン樹脂スポンジのシートで歯の表面の歯石や沈着色素を安全かつ衛生的に取り除く、使い捨て指サック式歯の美白具に関するものである。
【０００２】
【従来の技術】
従来、歯の美白は専用の組成物を使用し、歯ブラシもしくは硬い柄のついた棒状の物で磨いたりこすったりしていた。（例えば、特許文献１参照）。
【０００３】
【特許文献１】
実用新案登録第３０８７９３号公報
【０００４】
【発明が解決しようとする課題】
これは次のような欠点があった。
イ．  歯ブラシや棒状の物を使用するときは、力加減が難しく摩擦の負荷が大きい為、歯のエナメル質や歯茎を傷つける危険があった。
ロ．  歯ブラシや棒状の物を使用するときは、歯の奥や細かいところは届きにくかった。
ハ．  美白の効果が出にくかった。
ニ．  何度も同じ物を使用するので衛生的ではなかった。
本発明は、以上の欠点を解決するためになされたものである。
【０００５】
【課題を解決するための手段】
不織布からなる略円筒状の指サック（１）の先端部に、メラミン樹脂のスポンジシート（２）を取り付ける。
本発明は以上の構成によりなる使い捨て指サック式歯の美白具である。
【０００６】
【発明の実施の形態】
以下、本発明の実施の形態を説明する。
不織布からなる略円筒状で先端部は閉じ下端部を開口した指サック（１）の先端部に、メラミン樹脂のスポンジシート（２）を取り付ける。指サック（１）の背面部に縦長状の切り込み（３）を設ける。
本発明は以上の構成によりなっている。
本発明を使用するときは、まず不織布で作った指サック（１）を人差し指などにはめる。この時、指サック（１）背面切り込み（３）を左右に分け、前面部（４）と一緒に持つと指サック（１）本体の位置が安定する。これにより使用中に指サック（１）が指から抜けたりメラミン樹脂のスポンジシート（２）面がずれたりすることが無い。メラミン樹脂のスポンジシート（２）面を歯の表面にあて、歯石や沈着色素を除去し終わったら指サック（１）を廃棄する。
又、応用例として、メラミン樹脂のスポンジシート（２）部分に替えて、医療用無菌ガーゼや歯周病等の薬剤を塗ったガーゼを取り付けた場合は、医療用使い捨て指サックとして使用できる。口腔内の止血やマッサージ等使用目的は多岐に亘る。
【０００７】
【発明の効果】
本発明を使用することによって、歯の表面や歯茎に余分な摩擦の負荷をかけることなく、安全かつ衛生的に歯石や沈着色素を取り除く事ができる。しかも、メラミン樹脂スポンジによる美白効果は大きい。
【図面の簡単な説明】
【図１】本発明の斜視図
【図２】本発明の正面図
【符号の説明】
１    不織布指サック
２    メラミン樹脂のスポンジシート
３    不織布指サック背面切り込み部
４    不織布指サック前面部
【図１】
2004243057.tif 000003
【図２】
2004243057.tif 000004